(57)【要約】【課題】パーフォレーションを確実に検知することができるカメラを提供する。【解決手段】パーフォレーション１００ａが穿設されたロール状の写真フイルム１００が装填されパーフォレーション１００ａを検知することにより給送量を認識しながら写真フイルム１００の給送を行ない、写真フイルム１００上に写真撮影を行なうカメラにおいて、写真フイルム１００の給送時にパーフォレーション１００ａが通過する位置に設けられた凹部３６と、凹部３６の底面に配備されパーフォレーション１００ａを検知する反射型フォトセンサ３９と、凹部３６の、写真フイルム１００の給送方向Ａの上流側および下流側それぞれに隣接する位置に設けられた２つの凹部３７，３８を備えた。【選択図】        図５
2004295007.tif 000002
【特許請求の範囲】
【請求項１】
パーフォレーションが穿設されたロール状の写真フイルムが装填され該パーフォレーションを検知することにより給送量を認識しながら該写真フイルムの給送を行ない、該写真フイルム上に写真撮影を行なうカメラにおいて、
前記写真フイルム給送時にパーフォレーションが通過する位置に設けられた凹部と、
投光部および受光部からなる構成要素のうちの少なくとも一方の構成要素が該凹部内部に配備され該パーフォレーションを検知するフォトセンサと、
前記凹部の、前記写真フイルム給送方向上流側および下流側それぞれに隣接する位置に、該凹部とは離間して設けられた２つの凹部とを備えたことを特徴とするカメラ。
【請求項２】
パーフォレーションが穿設されたロール状の写真フイルムが装填され該パーフォレーションを検知することにより給送量を認識しながら該写真フイルムの給送を行ない、該写真フイルム上に写真撮影を行なうカメラにおいて、
前記写真フイルム給送時にパーフォレーションが通過する位置に設けられた凹部と、
投光部および受光部からなる構成要素のうちの少なくとも一方の構成要素が該凹部内部に配備され該パーフォレーションを検知するフォトセンサとを備え、
前記凹部は、前記フォトセンサの、該凹部内部に配備された構成要素よりも前記写真フイルム給送方向上流側および下流側が、該凹部内部に配備された構成要素の上面よりも深く抉られた形状を有するものであることを特徴とするカメラ。
【発明の詳細な説明】
【０００１】
【発明の属する技術分野】
本発明は、パーフォレーションが穿設されたロール状の写真フイルム上に写真撮影を行なうカメラに関する。
【０００２】
【従来の技術】
３５ミリロールフイルムに代表されるロール状の写真フイルムには、所定の間隔でパーフォレーションが窄設されている。このようなパーフォレーションが穿設されたロール状の写真フイルム上に写真撮影を行なうカメラにおいて、パーフォレーションを反射型フォトセンサで検知することにより給送量を認識しながら写真フイルムの巻き上げ，巻き戻し，駒送り等の給送制御を行なうカメラが知られている。ここで、反射型フォトセンサに、写真フイルムの、パーフォレーションの窄設に起因するフイルムカス等のゴミが付着すると、その反射型フォトセンサを構成する投光素子からの投光光量が減少したり受光素子の受光光量が減少したりする。すると、反射型フォトセンサから出力されるパーフォレーション検出信号のレベルが変化して、パーフォレーションの検知不良が発生するという問題がある。この問題を解決するために、例えば、各種の写真フイルムに対応するパーフォレーション検出レベルの比較用基準値を収納する換算表（メモリ）と、写真フイルムが有る時及び無い時の反射型フォトセンサの出力より上記換算表を参照して最適なパーフォレーション検出レベルを決定する技術が提案されている（特許文献１参照）。
【０００３】
【特許文献１】
特開平７−２０９７０９号公報
【０００４】
【発明が解決しようとする課題】
一般に、パーフォレーションを検知する反射型フォトセンサは、写真フイルムに窄設されたパーフォレーションが通過するフイルムレールの凹部に配備される。ここで、写真フイルムの給送が繰り返し行なわれると、写真フイルムの、パーフォレーションの窄設に起因するフイルムカス等のゴミが上記凹部に多量に入り込む場合がある。すると、上述した特開平７−２０９７０９号公報に提案された技術を採用した場合であっても、反射型フォトセンサから出力されるパーフォレーション検出信号のレベルが変動して、パーフォレーションの検知不良が発生するという問題がある。
【０００５】
本発明は、上記事情に鑑み、パーフォレーションを確実に検知することができるカメラを提供することを目的とする。
【０００６】
【課題を解決するための手段】
上記目的を達成する本発明のカメラのうちの第１のカメラは、パーフォレーションが穿設されたロール状の写真フイルムが装填されそのパーフォレーションを検知することにより給送量を認識しながらその写真フイルムの給送を行ない、その写真フイルム上に写真撮影を行なうカメラにおいて、
上記写真フイルム給送時にパーフォレーションが通過する位置に設けられた凹部と、
投光部および受光部からなる構成要素のうちの少なくとも一方の構成要素がその凹部内部に配備されそのパーフォレーションを検知するフォトセンサと、
上記凹部の、上記写真フイルム給送方向上流側および下流側それぞれに隣接する位置に、その凹部とは離間して設けられた２つの凹部とを備えたことを特徴とする。
【０００７】
本発明の第１のカメラは、フォトセンサを構成する投光部および受光部のうちの少なくとも一方が配備された凹部の、写真フイルム給送方向上流側および下流側それぞれに隣接する位置に、その凹部とは離間して２つの凹部を備えたものであるため、写真フイルムの巻き上げ方向についてはその写真フイルムが上記２つの凹部のいずれか一方の縁（エッジ）に当接し、一方写真フイルムの巻き戻し方向についてはその写真フイルムが上記２つの凹部のいずれか他方の縁（エッジ）に当接する。このため、写真フイルムの巻き上げ方向および巻き戻し方向の双方について、その写真フイルムの、パーフォレーションの窄設に起因するフイルムカス等のゴミが、上記２つの凹部のいずれかにより除去されるので、上記フォトセンサを構成する投光部および受光部のうちの少なくとも一方が配備された凹部に入り込むというような現象が防止される。従って、フォトセンサでパーフォレーションを確実に検知することができる。
【０００８】
また、上記目的を達成する本発明のカメラのうちの第２のカメラは、パーフォレーションが穿設されたロール状の写真フイルムが装填されそのパーフォレーションを検知することにより給送量を認識しながらその写真フイルムの給送を行ない、その写真フイルム上に写真撮影を行なうカメラにおいて、
上記写真フイルム給送時にパーフォレーションが通過する位置に設けられた凹部と、
投光部および受光部からなる構成要素のうちの少なくとも一方の構成要素がその凹部内部に配備されそのパーフォレーションを検知するフォトセンサとを備え、
上記凹部は、上記フォトセンサの、その凹部内部に配備された構成要素よりも上記写真フイルム給送方向上流側および下流側が、その凹部内部に配備された構成要素の上面よりも深く抉られた形状を有するものであることを特徴とする。
【０００９】
本発明の第２のカメラは、フォトセンサの構成要素である投光部および受光部のうちの少なくとも一方が配備された凹部の、写真フイルム給送方向上流側および下流側が、その構成要素の上面よりも深く抉られた形状を有するものであるため、写真フイルムの巻き上げ方向および巻き戻し方向の双方について、その写真フイルムの、パーフォレーションの窄設に起因するフイルムカス等のゴミが、その凹部の深く抉られた部分に落下する。従って、フォトセンサの構成要素が、写真フイルムの、パーフォレーションの窄設に起因するフイルムカス等のゴミで覆われるという現象が防止される。このため、フォトセンサでパーフォレーションを確実に検知することができる。
【００１０】
【発明の実施の形態】
以下、本発明の実施形態について説明する。
【００１１】
図１は、本発明の第１のカメラの一実施形態を前面斜め上から見た外観斜視図である。
【００１２】
このカメラ１は、パーフォレーションが窄設されたロール状の写真フイルムに写真撮影を行なうカメラであり、図１に示すカメラ１の前面中央部には、光学ズームレンズ１１ａを内部に備えたズーム鏡胴１１が備えられている。
【００１３】
また、このカメラ１の前面上部には、リモコン受信部を構成するリモコン受信窓１２と、オートフォーカス（ＡＦ）用の発光素子およびその発光素子から投光され被写体で反射して戻ってきた光を受光する受光素子が内蔵されたＡＦ窓１３が備えられている。
【００１４】
さらに、このカメラ１の前面上部には、セルフタイマ撮影時もしくはリモコン操作時に光を発するセルフタイマ／リモコンランプ１４と、ファインダ対物窓１５と、内蔵された露出調整用のＡＥセンサに光を導くためのＡＥ受光窓１６と、撮影に同期してフラッシュ（閃光）を発するフラッシュ発光部１７とが備えられている。フラッシュ発光部１７は、ズーム鏡胴１１に備えられた光学ズームレンズ１１ａの焦点距離に応じるとともに、撮影距離にも応じて、フラッシュ発光光の被写体への照射角度が変更される構造を有する。
【００１５】
また、このカメラ１の上面には、シャッタボタン１８が備えられており、このカメラ１のシャッタボタン１８により操作されるシャッタには、撮影時に開口径が時間経過に従って広がるプログラムシャッタが採用されている。さらに、カメラ１の側面には、裏蓋開放つまみ１９が備えられている。
【００１６】
図２は、図１のカメラを背面から見た外観斜視図である。
【００１７】
このカメラ１の背面には、裏蓋２０と、視度調節ダイヤル２１と、ファインダ接眼窓２２と、ピント合わせが完了した時に光を発するＡＦランプ２３と、電源ボタン２４とが備えられている。
【００１８】
裏蓋２０には、光学ズームレンズ１１ａをテレ側（遠距離側）あるいはワイド側（近距離側）に動作させるズームボタン２５と、フイルム確認窓２６と、電池蓋２７とが備えられている。
【００１９】
また、裏蓋２０には、液晶モニタ部２８が備えられている。この液晶モニタ部２８は、オートフラッシュや赤目軽減フラッシュ等のフラッシュモードを表示するためのフラッシュモード表示部２８ａと、セルフタイマの有無やリモコンの有無等を表示するためのセルフタイマモード表示部２８ｂと、オートフォーカスやマクロ等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２０】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２１】
図３は、図２に示すカメラの、裏蓋を取り外した状態の主要部を示す図である。
【００２２】
このカメラ１には、フイルム巻取室３１と、フイルム供給室３２と、アパーチャ３３と、そのアパーチャ３３の上縁，下縁に設けられて写真フイルムに窄設されたパーフォレーションが通過するフイルムレール３４，３５とが備えられている。
【００２３】
また、フイルムレール３５の、写真フイルム給送時にパーフォレーションが通過する位置に凹部３６が設けられている。この凹部３６の底面には、写真フイルムに窄設されたパーフォレーションを検知する反射型フォトセンサ３９（図５参照）が配備されている。
【００２４】
さらに、フイルムレール３５には、凹部３６の、写真フイルム給送方向上流側および下流側それぞれに隣接する位置に設けられた２つの凹部３７，３８が備えられている。
【００２５】
図４は、比較例としての凹部の、ロール状の写真フイルムの一部を含む断面を示す図、図５は、図３に示す凹部の、ロール状の写真フイルムの一部を含むＡ―Ａ’断面を示す図である。
【００２６】
図４に示す凹部１３６の底面には、写真フイルム１００に窄設されたパーフォレーション１００ａを検知する反射型フォトセンサ１３９が配備されている。ここで、写真フイルム１００が給送されると、凹部１３９の縁に写真フイルム１００が当接して、その写真フイルム１００の、パーフォレーション１００ａの窄設に起因するフイルムカス１００ｃが凹部１３６に落下する。やがて、反射型フォトセンサ１３９の上部には、フイルムカス１００ｃからなる堆積物１００ｄが形成される。すると、反射型フォトセンサ１３９を構成する投光素子からの投光光量が減少したり、受光素子で受光される受光光量が減少したりする。従って、パーフォレーション１００ａの検知不良が発生することとなる。
【００２７】
本実施形態では、前述したように、凹部３６と、その凹部３６の底面に配備された反射型フォトセンサ３９と、凹部３６の、写真フイルム１００の給送方向上流側および下流側それぞれに隣接する位置に設けられた凹部３７，３８とが備えられている。ここで、図５（ａ）に示すように、写真フイルム１００が矢印方向Ａに給送される。写真フイルム１００には、パーフォレーションの窄設に起因するフイルムカス１００ｃが付着している。やがて、図５（ｂ）に示すように、フイルムカス１００ｃが凹部３７の縁に当接する。さらに、写真フイルム１００が矢印方向Ａに給送される。すると、図５（ｃ）に示すように、フイルムカス１００ｃが凹部３７に落下する。このようにして、写真フイルム１００が矢印方向Ａに給送される場合は、凹部３７にフイルムカス１００ｃからなる堆積物１００ｄが形成されることとなる。従って、反射型フォトセンサ３９が配備された凹部３６にフイルムカス１００ｃが入り込むという現象が防止され、その反射型フォトセンサ３９でパーフォレーション１００ｃを確実に検知することができる。
【００２８】
一方、写真フイルム１００が、図５（ａ）に示す矢印方向Ａとは逆の方向に給送される場合は、上述した凹部３７の役割を凹部３８が担うことになる。従って、今度は凹部３８にフイルムカス１００ｃからなる堆積物１００ｄが形成されることとなり、やはり反射型フォトセンサ３９が配備された凹部３６にフイルムカス１００ｃが入り込むという現象が防止されて、反射型フォトセンサ３９でパーフォレーション１００ｃを確実に検知することができる。
【００２９】
ここで、上記凹部３７，３８の形成は、フイルムレール３５に孔を設ける工程だけで済む。従って、コストアップを抑えたまま、反射型フォトセンサ３９でパーフォレーション１００ａを確実に検知することができる。
【００３０】
尚、本実施形態では、凹部３６の、写真フイルム給送方向上流側および下流側それぞれに隣接する位置に２つの凹部３７，３８を設けた例で説明したが、これに限られるものではなく、凹部３６の、写真フイルム給送方向上流側および下流側それぞれに隣接する位置に３つ以上の凹部を設けてもよい。
【００３１】
また、ここでは、反射型フォトセンサの例で説明したが、本発明にいうフォトセンサは、透過型フォトセンサであってもよい。以下、透過型フォトセンサでパーフォレーションを検知する場合について説明する。
【００３２】
図６は、カメラの裏蓋の内部構造を示す図、図７は、図６に示す裏蓋および透過型フォトセンサの断面図である。
【００３３】
裏蓋２０には、図６に示すように、フイルム確認窓２６と、圧板２０１と、圧板２０１を保持する圧板ピン２０２と、写真フイルムを押さえるための押さえバネ２０３とが備えられている。圧板２０１には、穴２０１ａが設けられている。さらに、裏蓋２０には、図７に示すように、裏蓋２０の内壁に固定されて圧板２０１をフイルムレール３５に弾性的に押し付ける圧板バネ２０４が備えられている。
【００３４】
透過型フォトセンサ２１０は、図７に示すように、裏蓋２０の内壁に固定された投光素子２１１と、フイルムレール３５の凹部３６内部に配備された受光素子２１２から構成されている。投光素子２１１からの光Ａは、圧板２０１に設けられた穴２０１ａおよび写真フイルム１００のパーフォレーション１００ａを通過して受光素子２１２で受光される。このように、透過型フォトセンサ２１０でパーフォレーション１００ａを検知してもよい。
【００３５】
次に、本発明の第２のカメラの実施形態について説明する。
【００３６】
尚、本発明の第２のカメラの実施形態の外観図は、上述した本発明の第１のカメラの一実施形態であるカメラ１の外観図と同じであるため、図示省略し、異なる部分についてのみ説明する。
【００３７】
図８は、本発明の第２のカメラの第１実施形態の、写真フイルム給送時にパーフォレーションが通過する位置に設けられた凹部と、その凹部内部に配備された反射型フォトセンサの断面を示す図である。
【００３８】
図８に示す凹部２２０は、写真フイルム１００の給送時にパーフォレーション１００ａが通過する位置に設けられており、この凹部２２０の内部には反射型フォトセンサ２３０が配備されている。
【００３９】
凹部２２０は、反射型フォトセンサ２３０の、凹部２２０の内部に配備された構成要素である投光素子２３１および受光素子２３２よりも写真フイルム１００の給送方向上流側および下流側が、凹部２２０の内部に配備された投光素子２３１および受光素子２３２の上面よりも深く抉られた形状を有する。このため、写真フイルム１００の巻き上げ方向および巻き戻し方向の双方について、その写真フイルム１００の、パーフォレーション１００ａの窄設に起因するフイルムカス等のゴミが、凹部２２０の深く抉られた部分２２０ａ，２２０ｂに落下する。従って、反射型フォトセンサ２３０の投光素子２３１および受光素子２３２が、写真フイルム１００の、パーフォレーション１００ａの窄設に起因するフイルムカス等のゴミで覆われるという現象が防止される。このため、反射型フォトセンサ２３０でパーフォレーション１００ａが確実に検知される。
【００４０】
図９は、本発明の第２のカメラの第２実施形態の、写真フイルム給送時にパーフォレーションが通過する位置に設けられた凹部と、その凹部内部に配備された透過型フォトセンサの断面を示す図である。
【００４１】
この透過型フォトセンサ２４０は、図９（ｂ）に示すように、投光素子２４１と受光素子２４２が１つの筐体に組み込まれてなる一体型のフォトセンサであり、受光素子２４２側がフイルムレール３５の凹部２５０内部に配備されている。
【００４２】
凹部２５０は、図９（ａ）に示すように、透過型フォトセンサ２４０の、凹部２５０の内部に配備された受光素子２４２よりも写真フイルム１００の給送方向上流側および下流側が、凹部２５０の内部に配備された受光素子２４２の上面よりも深く抉られた形状を有する。このため、写真フイルム１００の巻き上げ方向および巻き戻し方向の双方について、その写真フイルム１００の、パーフォレーション１００ａの窄設に起因するフイルムカス等のゴミが、凹部２５０の深く抉られた部分２５０ａ，２５０ｂに落下する。従って、透過型フォトセンサ２４０の受光素子２４２が、写真フイルム１００の、パーフォレーション１００ａの窄設に起因するフイルムカス等のゴミで覆われるという現象が防止される。カメラに写真フイルムを装填するにあたり、その写真フイルムをプラスチックのフイルムケースから取り出した状態のままでカメラ底部に落とし込むだけで自動的に写真フイルムが装填される、いわゆるドロップインローディング機構を有するカメラの場合、このような一体型の透過型フォトセンサ２４０でパーフォレーション１００ａを検知すると、前述した図７に示す透過型フォトセンサ２１０と比較し、コストの低減化が図られる。
【００４３】
図１０は、図９に示す透過型フォトセンサから出力されるパーフォレーション検出信号を示す図である。
【００４４】
図１０には、図９に示す透過型フォトセンサ２４０からのパーフォレーション検出信号ＰＤ１が示されている。ここで、ＶＴＨは、パーフォレーション検出信号ＰＤ１の、上限の判定レベルである‘Ｈ’レベルの閾値電圧を示す。またＶＴＬは、パーフォレーション検出信号ＰＤ１の、下限の判定レベルである‘Ｌ’レベルの閾値電圧を示す。上述したように、パーフォレーション１００ａの窄設に起因するフイルムカス等のゴミは、凹部２５０の深く抉られた部分２５０ａ，２５０ｂに落下するため、透過型フォトセンサ２４０を構成する受光素子２４２にフイルムカス等のゴミが付着することが防止される。従って、その受光素子２４２では十分に大きな受光光量の光が受光されて、透過型フォトセンサ２４０からのパーフォレーション検出信号ＰＤ１を構成する信号部分ＰＤ１Ｈのレベルは、上限の判定レベルである閾値電圧ＶＴＨを十分に上回ることとなり、図示しない判定回路でパーフォレーション検出信号ＰＤ１は確実に‘Ｈ’レベルであると判定される。
【００４５】
一方、写真フイルム１００の、パーフォレーション１００ａが窄設されていない部分１００ｂが通過するタイミングにおいては、透過型フォトセンサ２４０を構成する投光素子２４１からの光は、その部分１００ｂで遮光されるため、透過型フォトセンサ２４０からのパーフォレーション検出信号ＰＤ１を構成する信号部分ＰＤ１Ｌのレベルは、下限の判定レベルである閾値電圧ＶＴＬを十分に下回ることとなり、図示しない判定回路でパーフォレーション検出信号ＰＤ１は確実に‘Ｌ’レベルであると判定される。
【００４６】
図１１は、比較例としての凹部に配備された透過型フォトセンサからのパーフォレーション検出信号を示す図である。
【００４７】
比較例としての凹部（図示せず）は、その凹部の、写真フイルム給送方向上流側および下流側の上面が、透過型フォトセンサを構成する受光素子の上面と同じ位置にある。このため、写真フイルムの、パーフォレーションの窄設に起因するフイルムカス等のゴミが、受光素子に付着し、その受光素子で受光される受光光量が減少する。従って、写真フイルムに窄設されたパーフォレーションが通過するタイミングにおいては、図１１に示すように、透過型フォトセンサからのパーフォレーション検出信号ＰＤ２を構成する信号部分ＰＤ２Ｈのレベルは、上限の判定レベルである閾値電圧ＶＴＨを下回ることとなる。従って、パーフォレーションの検知不良が発生することとなる。
【００４８】
【発明の効果】
以上説明したように、本発明のカメラによれば、パーフォレーションを確実に検知することができる。
【図面の簡単な説明】
【図１】本発明のカメラの一実施形態を前面斜め上から見た外観斜視図である。
【図２】図１のカメラを背面から見た外観斜視図である。
【図３】図２に示すカメラの、裏蓋を取り外した状態の主要部を示す図である。
【図４】比較例としての凹部の、ロール状の写真フイルムの一部を含む断面を示す図である。
【図５】図３に示す凹部の、ロール状の写真フイルムの一部を含むＡ―Ａ’断面を示す図である。
【図６】カメラの裏蓋の内部構造を示す図である。
【図７】図６に示す裏蓋および透過型フォトセンサの断面図である。
【図８】本発明の第２のカメラの第１実施形態の、写真フイルム給送時にパーフォレーションが通過する位置に設けられた凹部と、その凹部内部に配備された反射型フォトセンサの断面を示す図である。
【図９】本発明の第２のカメラの第２実施形態の、写真フイルム給送時にパーフォレーションが通過する位置に設けられた凹部と、その凹部内部に配備された透過型フォトセンサの断面を示す図である。
【図１０】図９に示す透過型フォトセンサから出力されるパーフォレーション検出信号を示す図である。
【図１１】比較例としての凹部に配備された透過型フォトセンサからのパーフォレーション検出信号を示す図である。
【符号の説明】
１  カメラ
１１  ズーム鏡胴
１１ａ  光学ズームレンズ
１２  リモコン受信窓
１３  ＡＦ窓
１４  セルフタイマ／リモコンランプ
１５  ファインダ対物窓
１６  ＡＥ受光窓
１７  フラッシュ発光部
１８  シャッタボタン
１９  裏蓋開放つまみ
２０  裏蓋
２１  視度調節ダイヤル
２２  ファインダ接眼窓
２３  ＡＦランプ
２４  電源ボタン
２５  ズームボタン
２６  フイルム確認窓
２７  電池蓋
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
３１  フイルム巻取室
３２  フイルム供給室
３３  アパーチャ
３４，３５  フイルムレール
３６，３７，３８，２２０，２５０  凹部
３９，２３０  反射型フォトセンサ
１００  写真フイルム
１００ａ  パーフォレーション
１００ｂ  写真フイルムの、パーフォレーションが窄設されていない部分
１００ｃ  フイルムカス
１００ｄ  堆積物
２０１  圧板
２０１ａ  穴
２０２  圧板ピン
２０３  押さえバネ
２０４  圧板バネ
２１１，２３１，２４１  投光素子
２１２，２３２，２４２  受光素子
２２０ａ，２２０ｂ，２５０ａ，２５０ｂ  凹部２２０の抉られた部分
２４０  透過型フォトセンサ
【図１】
2004295007.tif 000003
【図２】
2004295007.tif 000004
【図３】
2004295007.tif 000005
【図４】
2004295007.tif 000006
【図５】
2004295007.tif 000007
【図６】
2004295007.tif 000008
【図７】
2004295007.tif 000009
【図８】
2004295007.tif 000010
【図９】
2004295007.tif 000011
【図１０】
2004295007.tif 000012
【図１１】
2004295007.tif 000013